(57)【要約】【課題】映像表示機器と、スクランブル放送のデコーダとの間に接続される電子機器であって、映像表示機器に、デコーダがアクティブ状態に切り替わったことを確実に検知させることのできる電子機器を提供すること。【解決手段】制御部１２４は、ＳＣＡＲＴケーブル１４の８番ピンにハイレベルの信号を出力させている際に、ＳＣＡＲＴ端子１２２の８番ピンより受信する信号がハイレベルに切り替わったことを検知すると、所定期間、ＳＣＡＲＴケーブル１４の８番ピンにローレベルの信号を出力させることを特徴とする。【選択図】図１
2008147834.tif 000002
【特許請求の範囲】
【請求項１】
映像表示機器と、スクランブル放送のデコーダとの間にＳＣＡＲＴケーブルを介して接続される電子機器であって、
前記映像表示機器側のＳＣＡＲＴケーブルの８番ピンにハイレベルの信号を出力させている際に、前記デコーダ側のＳＣＡＲＴケーブルの８番ピンより受信する信号がハイレベルに切り替わったことを検知すると、所定期間、前記映像表示機器側のＳＣＡＲＴケーブルの８番ピンにローレベルの信号を出力させる制御部を有することを特徴とする電子機器。
【請求項２】
映像表示機器と、スクランブル放送のデコーダとの間に接続される電子機器であって、
該電子機器がアクティブ状態であることを示す信号を前記映像表示機器側へ出力させている際に、前記デコーダ側の機器がアクティブ状態に切り替わったことを示す信号を検知すると、所定期間、該電子機器が非アクティブ状態であることを示す信号を前記映像表示機器側へ出力させる制御部を有することを特徴とする電子機器。
【請求項３】
映像表示機器と、
スクランブル放送のデコーダと、
前記映像表示機器と、前記デコーダとの間に接続される請求項２に記載の電子機器と、
を有することを特徴とするネットワークシステム。
【請求項４】
映像表示機器と、スクランブル放送のデコーダとの間に接続される電子機器の動作を制御するプログラムであって、
該電子機器がアクティブ状態であることを示す信号を前記映像表示機器側へ出力させている際に、前記デコーダ側の機器がアクティブ状態に切り替わったことを検知すると、所定期間、該電子機器が非アクティブ状態であることを示す信号を前記映像表示機器側へ出力させる信号切り替えステップを有することを特徴とするプログラム。
【発明の詳細な説明】
【技術分野】
【０００１】
本発明は、映像表示機器と、スクランブル放送のデコーダとの間に接続される電子機器に関する。また、本発明は、そのような電子機器を有するネットワークシステムに関する。また、本発明は、そのような電子機器の動作を制御するプログラムに関する。
【背景技術】
【０００２】
欧州では、映像表示機器やスクランブル放送のデコーダなどの複数の電子機器が、ＳＣＡＲＴ（Syndicat des Constructeurs d'Appareils Radiorecepteurs et Televiseurs）
ケーブルと呼ばれる２１ピンのケーブルによって直列に接続されたネットワークシステムが広く普及している。そして、このネットワークシステムに関する多数の発明がなされている（特許文献１参照）。
【０００３】
特許文献１の発明は、ビデオソースやビデオ受像機などによって構成される家庭用ネットワークシステムにおいて、ビデオソースからビデオ信号を送信させる処理を繰り返し行わせることによって、ＳＣＡＲＴ形接続を自動検出するものである。
【０００４】
以下で、ＳＣＡＲＴケーブルを用いたネットワークシステムについて、例を用いて説明する。図３は、ネットワークシステム９０を示すブロック図である。ネットワークシステム９０は、テレビジョン受像機９１と、ＤＶＤレコーダ９２と、スクランブル放送のスクランブルを解除するためのデコーダ９３とを有し、テレビジョン受像機９１と、ＤＶＤレコーダ９２とはＳＣＡＲＴケーブル９４によって、ＤＶＤレコーダ９２と、デコーダ９３とはＳＣＡＲＴケーブル９５によって、それぞれ接続されている。
【０００５】
ネットワークシステム９０において、テレビジョン受像機９１がスクランブル放送に基づく映像を表示する際の処理の流れは以下の通りである。まず、テレビジョン受像機９１が放送局からスクランブル放送信号を受信し、これをＳＣＡＲＴケーブル９４を介してＤＶＤレコーダ９２へ送信する。次に、ＤＶＤレコーダ９２は、受信したスクランブル放送信号をそのまま、ＳＣＡＲＴケーブル９５を介してデコーダ９３へ送信する。
【０００６】
次に、デコーダ９３は、受信したスクランブル放送信号に対するデコード処理を施し、得られたスクランブル解除信号を、ＳＣＡＲＴケーブル９５を介してＤＶＤレコーダ９２へ送信する。次に、ＤＶＤレコーダ９２は、受信したスクランブル解除信号をそのまま、ＳＣＡＲＴケーブル９４を介して、テレビジョン受像機９１へ送信する。そして、テレビジョン受像機９１は、受信したスクランブル解除信号に基づく映像を表示する。
【０００７】
ここで、ＳＣＡＲＴケーブルは２１個のピンによって構成されており、そのうちの８番ピンは、電子機器がアクティブ状態であるか、あるいは非アクティブ状態であるかを示す信号を送信するために用いられる。例えば、ＤＶＤレコーダ９２については、電源がオンされた状態がアクティブ状態となり、このとき、ＳＣＡＲＴケーブル９４の８番ピンにハイレベルの信号を出力する一方、電源がオフされた状態が非アクティブ状態となり、このとき、ＳＣＡＲＴケーブル９４の８番ピンにローレベルの信号を出力する。
【０００８】
また、デコーダ９３については、スクランブル放送信号に対するデコード処理を施している状態がアクティブ状態となり、このとき、ＳＣＡＲＴケーブル９５の８番ピンにハイレベルの信号を出力する一方、スクランブル放送信号に対するデコード処理を施していない状態が非アクティブ状態となり、このとき、ＳＣＡＲＴケーブル９５の８番ピンにローレベルの信号を出力する。
【０００９】
また、ＤＶＤレコーダ９２は、ＳＣＡＲＴケーブル９５の８番ピンより受信する信号がハイレベルである際、つまり、デコーダ９３がアクティブ状態である際には、ＳＣＡＲＴケーブル９５を介して受信した信号をそのまま、ＳＣＡＲＴケーブル９４を介して、テレビジョン受像機９１へ送信する。
【００１０】
そして、ネットワークシステム９０において、テレビジョン受像機９１がスクランブル放送に基づく映像を表示する際には、テレビジョン受像機９１は、ＳＣＡＲＴケーブル９４の８番ピンより受信する信号がハイレベルに切り替わったことを検知することで、デコーダ９３がアクティブに切り替わったことを検知し、スクランブル解除信号に基づく映像を表示する。
【特許文献１】特開平８−２３７２７６号公報
【発明の開示】
【発明が解決しようとする課題】
【００１１】
しかしながら、ＤＶＤレコーダ９２は、アクティブ状態においては、ＳＣＡＲＴケーブル９４の８番ピンにハイレベルの信号を出力しているので、ＤＶＤレコーダ９２がアクティブ状態である際に、デコーダ９３がアクティブ状態に切り替わり、ＳＣＡＲＴケーブル９５の８番ピンに出力する信号をハイレベルへ切り替えても、ＤＶＤレコーダ９２がＳＣＡＲＴケーブル９４の８番ピンに出力する信号はハイレベルのままである。そのため、テレビジョン受像機９１は、ＳＣＡＲＴケーブル９４の８番ピンより受信する信号がハイレベルのままであることから、デコーダ９３がアクティブに切り替わったことを検知することができず、放送局から直接受信したスクランブル放送信号に基づく、スクランブルがかかったままの映像を表示してしまうという問題があった。
【００１２】
上記の問題を鑑みて、本発明は、映像表示機器と、スクランブル放送のデコーダとの間に接続される電子機器であって、映像表示機器に、デコーダがアクティブ状態に切り替わったことを確実に検知させることのできる電子機器を提供することを目的とする。また、本発明の他の目的はそのような電子機器を有するネットワークシステムを提供することである。また、本発明の他の目的は、そのような電子機器の動作を制御するプログラムを提供することである。
【課題を解決するための手段】
【００１３】
本発明においては、電子機器は、映像表示機器と、スクランブル放送のデコーダとの間にＳＣＡＲＴケーブルを介して接続される電子機器であって、前記映像表示機器側のＳＣＡＲＴケーブルの８番ピンにハイレベルの信号を出力させている際に、前記デコーダ側のＳＣＡＲＴケーブルの８番ピンより受信する信号がハイレベルに切り替わったことを検知すると、所定期間、前記映像表示機器側のＳＣＡＲＴケーブルの８番ピンにローレベルの信号を出力させる制御部を有することを特徴とする。
【００１４】
本発明においては、電子機器は、映像表示機器と、スクランブル放送のデコーダとの間に接続される電子機器であって、該電子機器がアクティブ状態であることを示す信号を前記映像表示機器側へ出力させている際に、前記デコーダ側の機器がアクティブ状態に切り替わったことを示す信号を検知すると、所定期間、該電子機器が非アクティブ状態であることを示す信号を前記映像表示機器側へ出力させる制御部を有することを特徴とする。
【００１５】
本発明においては、ネットワークシステムは、映像表示機器と、スクランブル放送のデコーダと、前記映像表示機器と、前記デコーダとの間に接続される上記構成の電子機器と、を有することを特徴とする。
【００１６】
本発明においては、プログラムは、映像表示機器と、スクランブル放送のデコーダとの間に接続される電子機器の動作を制御するプログラムであって、該電子機器がアクティブ状態であることを示す信号を前記映像表示機器側へ出力させている際に、前記デコーダ側の機器がアクティブ状態に切り替わったことを検知すると、所定期間、該電子機器が非アクティブ状態であることを示す信号を前記映像表示機器側へ出力させる信号切り替えステップを有することを特徴とする。
【発明の効果】
【００１７】
本発明の電子機器の制御部は、該電子機器がアクティブ状態であることを示す信号を映像表示機器側へ出力させている際に、デコーダ側の機器がアクティブ状態に切り替わったことを示す信号を検知すると、所定期間、該電子機器が非アクティブ状態であることを示す信号を映像表示機器側へ出力させるので、映像表示機器は、電子機器からの、アクティブ状態あるいは非アクティブ状態を示す信号を監視することで、デコーダがアクティブ状態に切り替わったことを確実に検知することができる。
【発明を実施するための最良の形態】
【００１８】
本発明の実施形態について、図面を用いて説明すれば以下の通りである。
【００１９】
図１は、本発明の実施形態に係るネットワークシステム１０を示すブロック図である。ネットワークシステム１０は、テレビジョン受像機１１（映像表示機器）と、ＤＶＤレコーダ１２（電子機器）と、スクランブル放送のスクランブルを解除するためのデコーダ１３とを有している。また、ＤＶＤレコーダ１２は、ＳＣＡＲＴ端子１２１と、ＳＣＡＲＴ端子１２２と、記録再生部１２３と、制御部１２４とを有している。
【００２０】
ここで、ＳＣＡＲＴ端子１２１は、テレビジョン受像機１１と、ＳＣＡＲＴケーブル１４によって接続されており、ＳＣＡＲＴ端子１２２は、デコーダ１３と、ＳＣＡＲＴケーブル１５によって接続されている。また、ＳＣＡＲＴ端子１２１と、ＳＣＡＲＴ端子１２２とは接続されている。そして、記録再生部１２３は、挿入されたＤＶＤに対する記録再生を行う部分である。また、制御部１２４は、ＳＣＡＲＴ端子１２１と、ＳＣＡＲＴ端子１２２と、記録再生部１２３とに接続され、これらに対して制御指示信号を送信することで、各種動作を実行させている。
【００２１】
ネットワークシステム１０において、テレビジョン受像機１１がスクランブル放送に基づく映像を表示する際の処理の流れは以下の通りである。まず、テレビジョン受像機１１が放送局からスクランブル放送信号を受信し、これをＳＣＡＲＴケーブル１４を介してＤＶＤレコーダ１２のＳＣＡＲＴ端子１２１へ送信する。次に、ＤＶＤレコーダ１２の制御部１２４は、ＳＣＡＲＴ端子１２１において受信したスクランブル放送信号をそのまま、ＳＣＡＲＴ端子１２２及びＳＣＡＲＴケーブル１５を介して、デコーダ１３へ送信させる。
【００２２】
次に、デコーダ１３は、受信したスクランブル放送信号に対するデコード処理を施し、得られたスクランブル解除信号を、ＳＣＡＲＴケーブル１５を介してＤＶＤレコーダ１２のＳＣＡＲＴ端子１２２へ送信する。次に、ＤＶＤレコーダ１２の制御部１２４は、ＳＣＡＲＴ端子１２２において受信したスクランブル解除信号をそのまま、ＳＣＡＲＴ端子１２１及びＳＣＡＲＴケーブル１４を介して、テレビジョン受像機１１へ送信させる。そして、テレビジョン受像機１１は、受信したスクランブル解除信号に基づく映像を表示する。
【００２３】
ここで、ＳＣＡＲＴケーブルは２１個のピンによって構成されており、そのうちの８番ピンは、電子機器がアクティブ状態であるか、あるいは非アクティブ状態であるかを示す信号を送信するために用いられる。例えば、ＤＶＤレコーダ１２については、電源がオンされた状態がアクティブ状態となり、このとき、制御部１２４は、ＳＣＡＲＴ端子１２１を介してＳＣＡＲＴケーブル１４の８番ピンにハイレベルの信号を出力させる一方、電源がオフされた状態が非アクティブ状態となり、このとき、制御部１２４は、ＳＣＡＲＴ端子１２１を介してＳＣＡＲＴケーブル１４の８番ピンにローレベルの信号を出力させる。
【００２４】
また、デコーダ１３については、スクランブル放送信号に対するデコード処理を施している状態がアクティブ状態となり、このとき、ＳＣＡＲＴケーブル１５の８番ピンにハイレベルの信号を出力する一方、スクランブル放送信号に対するデコード処理を施していない状態が非アクティブ状態となり、このとき、ＳＣＡＲＴケーブル１５の８番ピンにローレベルの信号を出力する。
【００２５】
また、ＤＶＤレコーダ１２の制御部１２４は、ＳＣＡＲＴ端子１２２の８番ピンより受信する信号がハイレベルである際、つまり、デコーダ１３がアクティブ状態である際には、ＳＣＡＲＴ端子１２２において受信した信号をそのまま、ＳＣＡＲＴ端子１２１及びＳＣＡＲＴケーブル１４を介して、テレビジョン受像機１１へ送信させる。
【００２６】
そして、ネットワークシステム１０において、テレビジョン受像機１１がスクランブル放送に基づく映像を表示する際には、テレビジョン受像機１１は、ＳＣＡＲＴケーブル１４の８番ピンより受信する信号がハイレベルに切り替わったことを検知することで、デコーダ１３がアクティブに切り替わったことを検知し、スクランブル解除信号に基づく映像を表示する。
【００２７】
次に、ＳＣＡＲＴ端子１２１を介してＳＣＡＲＴケーブル１４の８番ピンにハイレベルの信号を出力させている際、つまり、ＤＶＤレコーダ１２がアクティブ状態である際に、ＳＣＡＲＴ端子１２２の８番ピンより受信する信号がハイレベルに切り替わったこと、つまり、デコーダ１３がアクティブ状態に切り替わったことを検知した場合の、制御部１２４の制御動作について説明する。図２は、ＳＣＡＲＴ端子１２１を介してＳＣＡＲＴケーブル１４の８番ピンにハイレベルの信号を出力させている際に、ＳＣＡＲＴ端子１２２の８番ピンより受信する信号がハイレベルに切り替わったことを検知した場合の、制御部１２４の制御動作を示す説明図である。
【００２８】
ここで、図２（ａ）は、ＳＣＡＲＴ端子１２２の８番ピンより受信する信号の時間変化を示すグラフであり、横軸（ｔ軸）は時間軸、縦軸（Ｖ軸）は電圧軸である。また、図２（ｂ）は、制御部１２４がＳＣＡＲＴ端子１２１を介してＳＣＡＲＴケーブル１４の８番ピンに出力させる信号の時間変化を示すグラフであり、横軸（ｔ軸）は時間軸、縦軸（Ｖ軸）は電圧軸である。
【００２９】
つまり、図２（ａ）に示されるように、時間ｔ１において、デコーダ１３がアクティブ状態に切り替わり、ＳＣＡＲＴ端子１２２の８番ピンより受信する信号がハイレベルに切り替わっている。そして、時間ｔ１において、ＳＣＡＲＴ端子１２２の８番ピンより受信する信号がハイレベルに切り替わったことを検知すると、制御部１２４は、図２（ｂ）に示されるように、その後１００ｍｓの間、ＳＣＡＲＴ端子１２１を介してＳＣＡＲＴケーブル１４の８番ピンにローレベルの信号を出力させる。
【００３０】
制御部１２４がこのような制御動作を行うことで、制御部１２４がＳＣＡＲＴ端子１２１を介してＳＣＡＲＴケーブル１４の８番ピンにハイレベルの信号を出力させている際、つまり、ＤＶＤレコーダ１２がアクティブ状態である際に、ＳＣＡＲＴ端子１２２の８番ピンより受信する信号がハイレベルに切り替わった場合、つまり、デコーダ１３がアクティブ状態に切り替わった場合でも、テレビジョン受像機１１は、ＳＣＡＲＴケーブル１４の８番ピンより受信する信号が所定期間ローレベルに切り替わることから、デコーダ１３がアクティブ状態に切り替わったことを検知することができ、受信したスクランブル解除信号に基づく映像を表示することができる。
【００３１】
なお、本発明は上記の実施形態に限定されず、本発明の主旨を逸脱しない範囲で種々の変更が可能である。例えば、上記実施形態においては、制御部１２４は、ＳＣＡＲＴ端子１２１を介してＳＣＡＲＴケーブル１４の８番ピンにハイレベルの信号を出力させている際に、ＳＣＡＲＴ端子１２２の８番ピンより受信する信号がハイレベルに切り替わったことを検知すると、その後１００ｍｓの間、ＳＣＡＲＴ端子１２１を介してＳＣＡＲＴケーブル１４の８番ピンにローレベルの信号を出力させる構成としたが、１００ｍｓでなくともよく、２００ｍｓなどでもよい。
【００３２】
また、映像表示機器と、スクランブル放送のデコーダとの間に接続される電子機器は上記構成の制御部１２４を有するものであればよく、ハードディスクレコーダやビデオカセットレコーダなどでもよい。また、映像表示機器と、スクランブル放送のデコーダとの間に上記構成の制御部１２４を有する電子機器を複数直列に接続したネットワークシステムを構成することももちろん可能である。
【産業上の利用可能性】
【００３３】
本発明は、映像表示機器と、スクランブル放送のデコーダとの間に接続される電子機器として有効である。また、本発明は、そのような電子機器を有するネットワークシステムとして有効である。また、本発明は、そのような電子機器の動作を制御するプログラムとして有効である。
【図面の簡単な説明】
【００３４】
【図１】ネットワークシステム１０を示すブロック図。
【図２】ＳＣＡＲＴ端子１２１を介してＳＣＡＲＴケーブル１４の８番ピンにハイレベルの信号を出力させている際に、ＳＣＡＲＴ端子１２２の８番ピンより受信する信号がハイレベルに切り替わったことを検知した場合の、制御部１２４の制御動作を示す説明図。
【図３】ネットワークシステム９０を示すブロック図。
【符号の説明】
【００３５】
１０    ネットワークシステム
１１    テレビジョン受像機（映像表示機器）
１２    ＤＶＤレコーダ（電子機器）
１２４    制御部
１３    デコーダ
１４、１５    ＳＣＡＲＴケーブル
【図１】
2008147834.tif 000003
【図２】
2008147834.tif 000004
【図３】
2008147834.tif 000005